(57)【要約】【課題】主記憶部から補助記憶部へデータ移行を行なうにあたり、主記憶部に記憶された医用画像に関するデータの中から、装置の使い勝手が良好になるようなデータが前記補助記憶部に記憶するデータとして選ばれるようにすることができる医用画像装置を提供する。【解決手段】医用画像に関するデータがハードディスクドライブ６に記憶された被検体のうち、前記医用画像に関するデータが記憶再生装置８に挿入された可搬型記憶媒体Ｍに記憶される対象となる被検体として、所定の期間内に前記ハードディスクドライブ６への医用画像に関するデータの記憶が行なわれていない被検体Ｂ及び被検体Ｄを抽出する抽出部を備えることを特徴とする。【選択図】図５
2010273753.tif 000002
【特許請求の範囲】
【請求項１】
被検体の医用画像に関するデータが記憶されるとともに、該医用画像に関するデータが記憶された日付を示す日付情報が記憶された主記憶部と、
該主記憶部とは別に設けられた補助記憶部と、
前記医用画像に関するデータが前記主記憶部に記憶された被検体のうち、前記医用画像に関するデータが前記補助記憶部に記憶される対象となる被検体として、所定の期間内に前記主記憶部への医用画像に関するデータの記憶が行なわれていない被検体を、前記日付情報を参照して抽出する抽出部と、
を備えることを特徴とする医用画像装置。
【請求項２】
前記抽出部による抽出があった場合に、操作者に対するメッセージを表示するメッセージ表示制御部を備えることを特徴とする請求項１に記載の医用画像装置。
【請求項３】
前記抽出部により抽出された被検体について前記主記憶部に記憶された医用画像に関するデータを、前記補助記憶部に記憶させるとともに、前記主記憶部から消去するデータ移行部と、
を備えることを特徴とする請求項１又は２に記載の医用画像装置。
【請求項４】
前記抽出部により抽出された被検体について前記主記憶部に記憶された医用画像に関するデータを、前記補助記憶部に記憶させるデータコピー部と、
前記主記憶部の記憶可能容量が所定量以下になった場合に、前記日付情報を参照して、前記主記憶部に記憶された医用画像に関するデータのうち、最新のデータの記憶日が古い被検体のデータから順に消去するデータ消去部と、
を備えることを特徴とする請求項１又は２に記載の医用画像装置。
【請求項５】
前記主記憶部への医用画像に関するデータの記憶が、前記所定の期間内に行なわれていない被検体であっても、前記補助記憶部への記憶を行なわない被検体を設定する被検体設定部を備えることを特徴とする請求項１〜４のいずれか一項に記載の医用画像装置。
【請求項６】
前記抽出部による被検体の抽出の際に用いる前記所定の期間を設定する期間設定部を備えることを特徴とする請求項１〜５のいずれか一項に記載の医用画像装置。
【請求項７】
前記医用画像に関するデータは、被検体毎に形成される階層構造のデータ群の一部であることを特徴とする請求項１〜６のいずれか一項に記載の医用画像装置。
【請求項８】
前記医用画像は、超音波画像、Ｘ線ＣＴ画像又はＭＲＩ画像のいずれかであることを特徴とする請求項１〜７のいずれか一項に記載の医用画像装置。
【請求項９】
コンピュータに、
主記憶部に医用画像に関するデータが記憶された被検体のうち、前記医用画像に関するデータが、前記主記憶部とは別に設けられた補助記憶部に記憶される対象となる被検体として、所定の期間内に前記主記憶部への医用画像に関するデータの記憶が行なわれていない被検体を、前記主記憶部に前記医用画像に関するデータが記憶された日付を示す日付情報を参照して抽出する抽出機能を実行させる
ことを特徴とする医用画像装置の制御プログラム。
【発明の詳細な説明】
【技術分野】
【０００１】
本発明は、被検体に関する医用画像を撮影する医用画像装置及びその制御プログラムに関する。
【背景技術】
【０００２】
医用画像装置としては、例えば超音波診断装置、Ｘ線ＣＴ（Ｃｏｍｕｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置などが知られている。このうち、例えば超音波診断装置においては、被検体の超音波画像に関するデータをハードディスクドライブなどで構成される主記憶部に記憶するようになっている。しかし、前記主記憶部の記憶容量には限界がある。そこで、前記主記憶部に記憶された医用画像に関するデータをＤＶＤなどの補助記憶部に移行させる必要性が生じる。
【０００３】
しかし、前記補助記憶部に移行させるデータを操作者が手作業で指定するのは煩雑である。そこで、特許文献１では、主記憶部の使用データ容量が所定量を超えた場合に、補助記憶部に前記データを自動的に記憶させるとともにそのデータを前記主記憶部から消去することにより、前記主記憶部から前記補助記憶部へのデータの移行を行なうようになっている。
【先行技術文献】
【特許文献】
【０００４】
【特許文献１】特開２００６−３２６２０９号公報
【発明の概要】
【発明が解決しようとする課題】
【０００５】
ところで、前記主記憶部の使用データ容量が所定量を超えた場合に、前記補助記憶部に記憶するデータとして、前記主記憶部における記憶を行なった日付が古いデータを抽出するようにすると、例えば継続的に超音波画像の撮影が行なわれてそのデータが記憶される被検体についての超音波画像に関するデータも、古いものについては前記補助記憶部に記憶するデータとして抽出されることになる。しかし、継続的に撮影を行なうような被検体については、診断の際に古いデータも参照したい場合がある。従って、上述のようにして抽出された超音波画像に関するデータが、前記主記憶部から前記補助記憶部であるＤＶＤへ移行されてしまうと、そのＤＶＤを探さなければならず非常に煩雑である。このようなことから、前記補助記憶部へ記憶するデータの抽出を、使い勝手を損なわないように行なうことが望まれている。
【０００６】
本発明が解決しようとする課題は、主記憶部から補助記憶部へデータ移行を行なうにあたり、主記憶部に記憶された医用画像に関するデータの中から、装置の使い勝手が良好になるようなデータが前記補助記憶部に記憶するデータとして選ばれるようにすることができる医用画像装置及びその制御プログラムを提供することである。
【課題を解決するための手段】
【０００７】
この発明は、前記課題を解決するためになされたもので、第１の観点の発明は、被検体の医用画像に関するデータが記憶されるとともに、該医用画像に関するデータが記憶された日付を示す日付情報が記憶された主記憶部と、該主記憶部とは別に設けられた補助記憶部と、前記医用画像に関するデータが前記主記憶部に記憶された被検体のうち、前記医用画像に関するデータが前記補助記憶部に記憶される対象となる被検体として、所定の期間内に前記主記憶部への医用画像に関するデータの記憶が行なわれていない被検体を、前記日付情報を参照して抽出する抽出部と、を備えることを特徴とする医用画像装置である。
【０００８】
第２の観点の発明は、第１の観点の発明において、前記抽出部による抽出があった場合に、操作者に対するメッセージを表示するメッセージ表示制御部を備えることを特徴とする医用画像装置である。
【０００９】
第３の観点の発明は、第１又は第２の観点の発明において、前記抽出部により抽出された被検体について前記主記憶部に記憶された医用画像に関するデータを、前記補助記憶部に記憶させるとともに、前記主記憶部から消去するデータ移行部と、を備えることを特徴とする医用画像装置である。
【００１０】
第４の観点の発明は、第１又は第２の観点の発明において、前記抽出部により抽出された被検体について前記主記憶部に記憶された医用画像に関するデータを、前記補助記憶部に記憶させるデータコピー部と、前記主記憶部の記憶可能容量が所定量以下になった場合に、前記日付情報を参照して、前記主記憶部に記憶された医用画像に関するデータのうち、最新のデータの記憶日が古い被検体のデータから順に消去するデータ消去部と、を備えることを特徴とする医用画像装置である。
【００１１】
第５の観点の発明は、第１〜４のいずれか一の観点の発明において、前記主記憶部への医用画像に関するデータの記憶が、前記所定の期間内に行なわれていない被検体であっても、前記補助記憶部への記憶を行なわない被検体を設定する被検体設定部を備えることを特徴とする医用画像装置である。
【００１２】
第６の観点の発明は、第１〜５のいずれか一の観点の発明において、前記抽出部による被検体の抽出の際に用いる前記所定の期間を設定する期間設定部を備えることを特徴とする医用画像装置である。
【００１３】
第７の観点の発明は、第１〜６のいずれか一の観点の発明において、前記医用画像に関するデータは、被検体毎に形成される階層構造のデータ群の一部であることを特徴とする医用画像装置である。
【００１４】
第８の観点の発明は、第１〜７のいずれか一の観点の発明において、前記医用画像は、超音波画像、Ｘ線ＣＴ画像又はＭＲＩ画像のいずれかであることを特徴とする医用画像装置である。
【００１５】
第９の観点の発明は、コンピュータに、主記憶部に医用画像に関するデータが記憶された被検体のうち、前記医用画像に関するデータが、前記主記憶部とは別に設けられた補助記憶部に記憶される対象となる被検体として、所定の期間内に前記主記憶部への医用画像に関するデータの記憶が行なわれていない被検体を、前記主記憶部に前記医用画像に関するデータが記憶された日付を示す日付情報を参照して抽出する抽出機能を実行させることを特徴とする医用画像装置の制御プログラムである。
【発明の効果】
【００１６】
本発明によれば、前記医用画像に関するデータが前記主記憶部に記憶された被検体のうち、前記医用画像に関するデータが前記補助記憶部に記憶される対象となる被検体として、所定の期間内に前記主記憶部への医用画像に関するデータの記憶が行なわれていない被検体を抽出するようにすることにより、例えば継続的に医用画像の撮影を行なう被検体は抽出されないことになる。従って、前記主記憶部から前記補助記憶部へデータ移行を行なうにあたり、装置の使い勝手が良好になるようなデータが前記補助記憶部に記憶するデータとして選ばれるようにすることができる。
【図面の簡単な説明】
【００１７】
【図１】本発明に係る超音波診断装置の一実施形態の概略構成を示すブロック図である。
【図２】図１に示す超音波診断装置のハードディスクドライブに記憶されるデータ群の一例を示す図である。
【図３】第一実施形態の超音波診断装置における制御部の機能ブロック図である。
【図４】第一実施形態の超音波診断装置における作用を示すフローチャートである。
【図５】抽出部による被検体の抽出の具体例を説明するための図である。
【図６】第二実施形態の超音波診断装置における制御部の機能ブロック図である。
【図７】第二実施形態の超音波診断装置における作用を示すフローチャートである。
【発明を実施するための形態】
【００１８】
以下、本発明の実施形態について図面に基づいて詳細に説明する。以下の実施形態では本発明に係る医用画像装置の一例として超音波診断装置を例にして説明する。
【００１９】
（第一実施形態）
先ず、第一実施形態について図１〜図５に基づいて説明する。図１に示す超音波診断装置１は、超音波プローブ２、送受信部３、エコー処理部４、メモリ５、ハードディスクドライブ（Ｈａｒｄ  Ｄｉｓｋ  Ｄｒｉｖｅ）６、表示部７を備え、さらに記憶再生装置８、制御部９、操作部１０を備える。
【００２０】
前記超音波プローブ２は、生体組織に対して超音波を送信し、そのエコーを受信する。前記送受信部３は、前記超音波プローブ２を所定のスキャンパラメータで駆動させてスキャン面を走査させ、また前記超音波プローブ２で得られたエコー信号について、整相加算処理等の信号処理を行なう。
【００２１】
前記エコー処理部４は、前記送受信部３から出力された音線毎のエコー信号に対し、対数圧縮処理、包絡線検波処理等のＢモード処理を行い、ＢモードデータＢＤを作成する。
【００２２】
前記メモリ５は、バッファメモリであり、前記エコー処理部４から出力されたＢモードデータＢＤが格納される。そして、前記メモリ５に記憶されたＢモードデータＢＤのうち、前記操作部９において指示されたフレームのＢモードデータＢＤが、前記ハードディスクドライブ６に記憶される。ちなみに、このハードディスクドライブ６に記憶されるＢモードデータＢＤは、後述するＤＳＣによって画像データに変換される前のローデータ（Ｒａｗ  Ｄａｔａ）である。前記ハードディスクドライブ６は、本発明における主記憶部の実施の形態の一例である。前記ＢモードデータＢＤは、本発明における医用画像に関するデータの実施の形態の一例である。
【００２３】
ここで、前記ＢモードデータＢＤは、被検体毎に形成されるデータ群Ｄの一部として、前記ハードディスクドライブ６に記憶される。前記データ群Ｄの一例を図２に示す。前記データ群Ｄは、階層構造になっており、最上位階層である被検体データＰＤと、この被検体データＰＤの下の階層であるＥｘａｍデータＥＤと、さらにこのＥｘａｍデータＥＤ１〜ＥＤ３の下の階層であるＢモードデータＢＤからなっている。図２には、被検体Ａについてのデータ群Ｄを一例として示したが、前記ハードディスクドライブ６には、前記のような階層構造のデータ群Ｄが被検体毎に記憶されている。
【００２４】
前記被検体データＰＤは、被検体の氏名情報やＩＤ情報を含んでいる。これら氏名情報やＩＤ情報は前記操作部１０において入力される。また、前記ＥｘａｍデータＥＤは、本例ではＥｘａｍデータＥＤ１，ＥＤ２，ＥＤ３からなる。各ＥｘａｍデータＥＤ１〜ＥＤ３は、ＢモードデータＢＤの一連の撮影毎（例えば一回の検査毎）に生成され、撮影を行なった日付（年月日）情報を含んでいる。
【００２５】
前記ＢモードデータＢＤとしては、前記ＥｘａｍデータＥＤ１についてのＢモードデータＢＤ１１，ＢＤ１２，ＢＤ１３と、前記ＥｘａｍデータＥＤ２についてのＢモードデータＢＤ２１，ＢＤ２２と、前記ＥｘａｍデータＥＤ３についてのＢモードデータＢＤ３１，ＢＤ３２，ＢＤ３３とを有している。
【００２６】
ちなみに、前記日付情報としては、年月日のほか時刻が含まれていてもよい。前記日付情報は、本発明における日付情報の実施の形態の一例である。
【００２７】
前記表示部６は、例えばグラフィックディスプレイ（ｇｒａｐｈｉｃ  ｄｉｓｐｌａｙ）と、ＤＳＣ（Ｄｉｇｉｔａｌ  Ｓｃａｎ  Ｃｏｎｖｅｒｔｅｒ）とを有している（いずれも図示省略）。前記表示部６においては、前記メモリ５から出力されたＢモードデータＢＤが、前記ＤＳＣによって前記グラフィックディスプレイに表示する画像データに変換され、この画像データに基づくＢモード画像が前記グラフィックディスプレイに表示されるようになっている。
【００２８】
前記記憶再生装置８は、ＤＶＤなどの可搬型記憶媒体Ｍを挿脱自在であり、この可搬型記憶媒体Ｍに対してデータを記憶し、またこの可搬型記憶媒体Ｍに記憶されたデータの再生を行なうようになっている。前記記憶再生装置８及び前記可搬型記憶媒体Ｍは、本発明における補助記憶部の実施の形態の一例である。
【００２９】
前記可搬型記憶媒体Ｍとしては、ＤＶＤのみならず、ＣＤなどの各種光ディスク、各種光磁気ディスク、フレキシブル・ディスクなどの各種磁気ディスク、半導体メモリ、リムーバブルハードディスク等の各種方式のメディアを用いることができる。また、前記超音波診断装置１をネットワークを介してサーバ（図示省略）と接続し、このサーバーを前記記憶再生装置８及び前記可搬型記憶媒体Ｍの代わりとして機能させてもよい。この場合、前記サーバは本発明における補助記憶部の実施の形態の一例である。
【００３０】
前記制御部９は、ＣＰＵ（Ｃｅｎｔｒａｌ  Ｐｒｏｃｅｓｓｉｎｇ  Ｕｎｉｔ）を有して構成され、前記ハードディスクドライブ６に記憶された制御プログラムを読み出し、前記超音波診断装置１の各部における機能を実行させる。また、前記制御部９は、図３に示すように抽出部９１、メッセージ表示制御部９２、データ移行部９３、期間設定部９４、フラグ設定部９５を有し、これら各部による機能を実行させる。
【００３１】
前記抽出部９１は、前記ＢモードデータＢＤが前記ハードディスクドライブ６に記憶された被検体のうち、前記ＢモードデータＢＤを含む前記データ群Ｄが、前記可搬型記憶媒体Ｍに記憶される対象となる被検体として、所定の期間内に前記ハードディスクドライブ６へのＢモードデータＢＤの記憶が行なわれていない被検体を、前記日付情報を参照して抽出する。前記抽出部９１は、本発明における抽出部の実施の形態の一例である。
【００３２】
また、前記メッセージ表示制御部９２は、前記抽出部９１による抽出があった場合に、操作者に対するメッセージを前記グラフィックディスプレイに表示する。メッセージの具体的内容については後述する。前記メッセージ表示制御部９２は、本発明におけるメッセージ表示制御部の実施の形態の一例である。
【００３３】
前記データ移行部９３は、前記抽出部９１により抽出された被検体について前記ハードディスクドライブ６に記憶されたＢモードデータＢＤを含む前記データ群Ｄを、前記記憶再生装置８へ送信して前記可搬型記憶媒体Ｍに記憶させるとともに前記ハードディスクドライブ６から消去するデータ移行を行なう。前記データ移行部９３は、本発明におけるデータ移行部の実施の形態の一例である。
【００３４】
前記期間設定部９４は、前記抽出部９１による被検体の抽出の際に用いる前記所定の期間を設定する。前記期間設定部９４は、本発明における期間設定部９４の実施の形態の一例である。
【００３５】
前記フラグ設定部９５は、前記ハードディスクドライブ６へのＢモードデータＢＤの記憶が、前記所定の期間内に行なわれていない被検体であっても、前記抽出部９１による抽出の対象とはせず、前記可搬型記憶媒体Ｍへの記憶を行なわない被検体にフラグを設定する。前記フラグ設定部９５は、本発明における被検体設定部の実施の形態の一例である。
【００３６】
前記操作部９は、操作者が指示や情報を入力するためのキーボード及びポインティングデバイス（図示省略）などを含んで構成されている。この操作部１０においては、例えば前記抽出部９１による被検体の抽出の際に用いる前記所定の期間を入力する。また、前記操作部１０においては、前記ハードディスクドライブ６へのＢモードデータの記憶が、前記所定の期間内に行なわれていない被検体であっても、前記抽出部９１によって抽出の対象とせず、前記可搬型記憶媒体Ｍへの記憶を行なわない被検体を指定するようになっている。
【００３７】
さて、本例の超音波診断装置１において、前記ハードディスクドライブ６に記憶されたＢモードデータＢＤを含むデータ群Ｄを前記可搬型記憶媒体Ｍへ移行させる際の作用について図４に基づいて説明する。この図４において、先ずステップＳ１では、前記抽出部９１によって抽出を行なう際に用いる所定の期間を前記操作部１０において入力する。ここでは、前記所定の期間として１年が入力されたとする。これにより、前記期間設定部９４は、前記抽出部９１によって抽出を行なう際に用いる所定の期間を１年に設定する。
【００３８】
次に、ステップＳ２では、前記抽出部９１による抽出を定期的に行なう定期抽出処理を開始する。前記抽出部９１による抽出のタイミングは、予め前記操作部１０において入力されて設定されるものとする。そして、前記抽出部９１は、抽出のタイミングになると、ステップＳ３において、１年以内に前記ハードディスクドライブ６へのＢモードデータＢＤの記憶が行なわれていない被検体を、ＥｘａｍデータＥＤにおける前記日時情報を参照して抽出する。
【００３９】
前記ステップＳ３における前記抽出部９による抽出について詳細に説明する。前記抽出部９１は、各被検体におけるＥｘａｍデータＥＤにおいて最も新しい日付情報が１年以上前である被検体を抽出する。例えば、図２に示す被検体ＡのＥｘａｍデータ１〜３において、前記Ｅｘａｍデータ１の日付情報が２００９年２月１日であり、前記Ｅｘａｍデータ２の日付情報が２００８年１１月１日であり、前記Ｅｘａｍデータ３の日付情報が２００８年２月１日であったとすると、前記抽出部９は最新の日付情報を有する前記Ｅｘａｍデータ１の日付情報を参照して、被検体ＡについてのＢモードデータＢＤが１年以内に前記ハードディスクドライブ６に記憶されているか否か判断する。
【００４０】
また、１年以内に前記ハードディスクドライブ６へのＢモードデータＢＤの記憶が行なわれていない被検体であっても、前記抽出部９１による抽出の対象とはしない被検体が予め前記操作部１０において入力され、前記フラグ設定部９５によってフラグが設定されている被検体については、１年以内に前記ハードディスクドライブ６への記憶が行なわれていなかったとしても、前記抽出部９１による抽出の対象とはしない。
【００４１】
前記抽出部９１による抽出について、図５に基づいてさらに具体的に説明する。抽出時の日付が２００９年４月１日であるとすると、被検体Ａについては最も新しい日付情報が２００９年２月１日なので１年以上経過しておらず、抽出の対象とはしない。被検体Ｂについては、最も新しい日付情報が２００８年３月１日なので１年以上経過しており抽出の対象とする。被検体Ｃについては、最も新しい日付情報が２００７年２月１日であり１年以上経過しているが、フラグが設定されているので抽出の対象とはしない。被検体Ｄについては、最も新しい日付情報が２００８年３月１５日であり１年以上経過しているので抽出の対象とする。被検体Ｅについては、最も新しい日付情報が２００６年１１月２１日であり１年以上経過しているが、フラグが設定されているので抽出の対象とはしない。
【００４２】
ステップＳ３において、１年以内に前記ハードディスクドライブ６へのＢモードデータＢＤの記憶が行なわれていない被検体が抽出されなかった場合、後述のステップＳ７へ移行する。一方、ステップＳ３において被検体が抽出された場合、ステップＳ４へ移行し、前記メッセージ表示制御部９２が、ＢモードデータＢＤを含むデータ群Ｄのデータ移行を行なうように促す旨のメッセージを前記グラフィックディスプレイに表示する。
【００４３】
次に、ステップＳ５では、前記抽出部９１によって抽出された被検体について前記ハードディスクドライブ６に記憶されたデータ群Ｄの前記可搬型記憶媒体Ｍへのデータ移行を行なうか否かを、操作者が前記操作部１０において指示する。このステップＳ５において、データ移行を行なうか否かを操作者に問うメッセージを前記グラフィックディスプレイに表示してもよい。
【００４４】
前記ステップＳ５においてデータ移行を行わない指示が行なわれると（ステップＳ５においてＮＯ）、ステップＳ７の処理へ移行する。一方、前記ステップＳ５においてデータ移行を行なう指示が行なわれると（ステップＳ５においてＹＥＳ）、ステップＳ６の処理へ移行する。このステップＳ６では、前記データ移行部９３が、前記抽出部９１によって抽出された被検体についてのデータ群Ｄを、前記ハードディスクドライブ６から前記記憶再生装置８へ送信して前記可搬型記憶媒体Ｍに記憶させるとともに、前記ハードディスクドライブ６から消去する。
【００４５】
次に、ステップＳ７では、定期抽出処理を継続するか否かを操作者が指示する。このステップＳ７において、定期抽出処理を継続するか否かを問うメッセージを前記グラフィックディスプレイに表示してもよい。定期抽出処理を継続する場合は（ステップＳ７においてＹＥＳ）、前記ステップＳ３の処理へ戻る。一方、定期抽出処理を継続しない場合は（ステップＳ７においてＮＯ）、処理を終了する。
【００４６】
以上説明した本例の超音波診断装置１によれば、継続的にＢモード画像の撮影を行なうような被検体は、前記抽出部９１による抽出の対象から外すことができる。例えば、上述のように、被検体Ａについての最も古いデータであるＥｘａｍデータＥＤ３の日付情報は２００８年２月１日であり１年以上経過しているが、最新のデータであるＥｘａｍデータＥＤ１の日付情報は２００９年２月１日であるので、前記抽出部９１による抽出の対象から外れる。これにより、継続的にＢモード画像の撮影を行なうような被検体については、前記ハードディスクドライブ６に全てのＥｘａｍにおけるＢモードデータＢＤが記憶されているので、診断の際に可搬型記憶媒体Ｍを探す必要はない。一方、長期にわたってＢモード画像が撮影されていない被検体Ｂや被検体Ｄが、データ移行を行なう対象として抽出される。以上により、装置の使い勝手が良好になるようなＢモードデータＢＤがデータ移行の対象として選ばれることになる。
【００４７】
次に、第一実施形態の変形例について説明する。図４におけるフローにおいて、前記ステップＳ４，Ｓ５の処理を行なわず、前記ステップＳ３の処理の後に、前記ステップＳ６の処理へ移行してもよい。すなわち、前記ステップＳ３において前記抽出部９１によって被検体が抽出された場合に、前記ステップＳ６の処理へ移行して、自動的に前記データ移行部９３によるデータの移行を行なうようにしてもよい。
【００４８】
（第二実施形態）
次に、第二実施形態について図６及び図７に基づいて説明する。なお、上記第一実施形態と異なる部分についてのみ説明するものとする。
【００４９】
図６に示すように、本例の制御部９は、前記データ移行部９３の代わりに、データコピー部９６とデータ消去部９７とを有している。前記データコピー部９６及びデータ消去部９７は、本発明におけるデータコピー部及びデータ消去部の実施の形態の一例である。詳細は後述する。
【００５０】
また、前記制御部９は、前記ハードディスクドライブ６の記憶可能容量を監視する容量監視部９８を有している。
【００５１】
第二実施形態の超音波診断装置１の作用について図７に基づいて説明する。  図７に示すフローにおいて、ステップＳ１１〜Ｓ１４までは、第一実施形態で説明したステップＳ１〜Ｓ４までの処理と同じである。ただし、ステップＳ１３において、１年以内に前記ハードディスクドライブ６へのＢモードデータＢＤの記憶が行なわれていない被検体が抽出されなかった場合は、後述のステップＳ１９へ移行する。
【００５２】
本例ではステップＳ１４の次のステップＳ１５では、前記抽出部９１によって抽出された被検体について前記ハードディスクドライブ６に記憶されたデータ群Ｄの前記可搬型記憶媒体Ｍへの記憶（コピー）を行なうか否かを、操作者が前記操作部１０において指示する。このステップＳ５において、記憶を行なうか否かを操作者に問うメッセージを前記グラフィックディスプレイに表示してもよい。
【００５３】
前記ステップＳ１５において記憶を行なわない指示が行なわれると（ステップＳ１５においてＮＯ）、ステップＳ１９の処理へ移行する。一方、ステップＳ１５において記憶を行なう指示が行なわれると（ステップＳ１５においてＹＥＳ）、ステップＳ１６の処理へ移行し、このステップＳ１６において、前記抽出部９１によって抽出された被検体について前記ハードディスクドライブ６に記憶されたデータ群Ｄの前記可搬型記憶媒体Ｍへの記憶を、前記データコピー部９６が行なう。
【００５４】
次に、ステップＳ１７では、前記容量監視部９８が前記ハードディスクドライブ６の記憶可能容量が所定の容量以下か否かを判断する。ちなみに、この判断を行う基準である前記所定の容量は、操作者が予め前記操作部１０において入力することにより設定されるようになっていてもよい。
【００５５】
前記ステップＳ１７において前記ハードディスクドライブ６の記憶可能容量が所定の容量以下になっていないと判断された場合（ステップＳ１７においてＮＯ）、ステップＳ１９の処理へ移行する。一方、ステップＳ１７において前記ハードディスクドライブ６の記憶可能容量が所定の容量以下であると判断された場合（ステップＳ１７においてＹＥＳ）、ステップＳ１８の処理へ移行する。このステップＳ１８では、前記抽出部９１によって抽出された被検体について前記ハードディスクドライブ６に記憶されるとともに、前記ステップＳ１６において前記可搬型記憶媒体Ｍにコピーされたデータ群Ｄを、前記データ消去部９７が前記ハードディスクドライブ６から消去する。
【００５６】
次に、ステップＳ１９では、第一実施形態のステップＳ７と同様の処理を行なう。
【００５７】
以上説明した第二実施形態によっても、第一実施形態と同様の効果を得ることができる。また、前記抽出部９１によって抽出されて前記可搬型記憶媒体Ｍに記憶された被検体のＢモード画像データは、前記ハードディスクドライブ６の記憶可能容量が所定の容量以下になるまでは前記ハードディスクドライブ６にも記憶されたままの状態なので、前記抽出部９１によって抽出された被検体が、万が一来院して診断を行なうような場合であっても、可搬型記憶媒体Ｍを探す必要はなくＢモードデータへのアクセスが容易である。
【００５８】
次に、第二実施形態の変形例について説明する。図７におけるフローにおいて、前記ステップＳ１４，Ｓ１５，Ｓ１７の処理を行なわず、前記ステップＳ１３において前記抽出部９１によって被検体が抽出された場合に、前記ステップＳ１６の処理へ移行して、自動的に前記データコピー部９６による前記可搬型記憶媒体Ｍへの記憶を行ない、またこのステップＳ１６の処理の後に、ステップＳ１８の処理へ移行して、前記データ消去部９７による消去を行うようにしてもよい。
【００５９】
以上、本発明を前記各実施形態によって説明したが、本発明はその主旨を変更しない範囲で種々変更実施可能なことはもちろんである。例えば、前記各実施形態では、本発明における医用画像に関するデータの一例としてＢモードデータを挙げて説明したが、これに限られるものではなく、例えばＢモードとカラードプラモードとを重畳した超音波画像や、Ｍモード画像など、他の超音波画像に関するデータであってもよい。また、医用画像は超音波画像に限られるものではなく、例えばＸ線ＣＴ画像やＭＲＩ画像などであってもよい。
【００６０】
さらに、第一実施形態において、前記抽出部９１によって抽出されなかった被検体に関するＥｘａｍデータや医用画像に関するデータの中から、前記データ移行部９３によるデータ移行を行なうデータを任意に選択できるようにし、選択されたデータの移行を行うようにしてもよい。また、第二実施形態において、前記抽出部９１によって抽出されなかった被検体に関するＥｘａｍデータや医用画像に関するデータの中から、前記データコピー部９６による前記可搬型記憶媒体Ｍへの記憶を行なうデータを任意に選択できるようにし、選択されたデータの前記可搬型記憶媒体Ｍへの記憶を行ってもよい。
【符号の説明】
【００６１】
１  超音波診断装置
６  ハードディスクドライブ（主記憶部）
８  記憶再生装置（補助記憶部）
Ｍ  可搬型記憶媒体（補助記憶部）
９１  抽出部
９２  メッセージ表示制御部
９３  データ移行部
９４  期間設定部
９５  フラグ設定部（被検体設定部）
９６  データコピー部
９７  データ消去部
【図１】
2010273753.tif 000003
【図２】
2010273753.tif 000004
【図３】
2010273753.tif 000005
【図４】
2010273753.tif 000006
【図５】
2010273753.tif 000007
【図６】
2010273753.tif 000008
【図７】
2010273753.tif 000009